(57)【要約】【課題】材料の使用量が少なく、単純な構造で多くのディスクを収納可能で、簡便に製造可能であり、ディスクの収納も取り出しも容易で、取り出したディスクを再度収納することも可能であるのみならず、取り出しと収納を繰り返しても劣化が少なく、収納したディスクが容易に脱落することもないディスク収納体と、それを綴じ込んでなる冊子体とを提供する。【解決手段】不織布等の芯材シート１と、透明なプラスチックフィルム等の表側シート２及び裏側シート３とを、表裏のディスク収納部４、５の周囲で接着し（接着部６）、さらに表側シート２及び裏側シート３に、ディスク収納部４、５上における所定位置にディスクの出し入れ用の開口部７、８を設けてなるディスク収納体である。ディスク収納部４、５は、表裏に各複数設けることができる。このディスク収納体の一辺を綴込部９として他の折丁と共に綴じて冊子体とする。【選択図】図２
2007246147.tif 000002
【特許請求の範囲】
【請求項１】
芯材シートと、
前記芯材シートの表側に配置された表側シートと、
前記芯材シートの裏側に配置された裏側シートと、を備え、
前記芯材シートと、前記表側シートとの間には、円盤状のディスクを収納可能な表側ディスク収納部が少なくとも一つ形成されており、
前記芯材シートと、前記裏側シートとの間には、少なくとも一つの前記表側ディスク収納部の位置に対応する位置に、円盤状のディスクを収納可能な裏側ディスク収納部が形成されており、
前記芯材シートと、前記表側シートとは、前記表側ディスク収納部の周囲において接着されており、
前記芯材シートと、前記裏側シートとは、前記裏側ディスク収納部の周囲において接着されており、
前記表側シートには、前記表側ディスク収納部の下端部から前記ディスクの半径を超え前記ディスクの直径に達しない距離の位置に、前記ディスクを出し入れ可能な表側開口部が形成されており、
前記表側シートの前記表側開口部より上方の部分は、少なくとも前記表側ディスク収納部の幅方向中央部近傍において、前記表側ディスク収納部の下端部から前記ディスクの直径に達しない距離の位置にまで延設されており、
前記裏側シートには、前記裏側ディスク収納部の下端部から前記ディスクの半径を超え前記ディスクの直径に達しない距離の位置に、前記ディスクを出し入れ可能な裏側開口部が形成されており、
前記裏側シートの前記裏側開口部より上方の部分は、少なくとも前記裏側ディスク収納部の幅方向中央部近傍において、前記裏側ディスク収納部の下端部から前記ディスクの直径に達しない距離の位置にまで延設されている
ことを特徴とするディスク収納体。
【請求項２】
前記表側ディスク収納部の下端部から前記表側開口部までの距離と、前記裏側ディスク収納部の下端部から前記裏側開口部までの距離とが互いに異なることを特徴とする請求項１に記載のディスク収納体。
【請求項３】
前記表側ディスク収納部及び前記裏側ディスク収納部がそれぞれ複数形成されていることを特徴とする請求項１又は２に記載のディスク収納体。
【請求項４】
請求項１〜３のいずれかに記載のディスク収納体を綴じ込んでなることを特徴とする冊子体。
【発明の詳細な説明】
【技術分野】
【０００１】
本発明は、ＣＤ、ＤＶＤ等の円盤状のディスクを収納可能なディスク収納体及びそれを綴じ込んでなる冊子体に関するものである。
【背景技術】
【０００２】
従来、書籍や雑誌等の冊子体に綴じ込み可能なディスク収納体としては、ディスクと略同じ厚さか又は若干厚い厚紙を芯材として、これにディスクの直径と略同じか若干大きい円形状の切り抜き部を設けてディスク収納部を形成し、その両面に紙又はプラスチックフィルム等を貼り合わせてディスクを封入する構造のものが広く使用されている（特許文献１、２等）。しかし、この様なディスク収納体は、材料の使用量が多いため不経済であり、重量も嵩む。さらに、複数のディスクを同時に収納しようとすると、ディスク収納体が大型化、厚型化するために、冊子体への綴じ込みが困難になるという問題点もある。
【０００３】
そこで、不織布やプラスチックフィルム等の薄型のシートのみを使用して、それらを２枚ないし３枚重ねて周囲を接着し、シート間にポケット状のディスク収納部を形成した構造のディスク収納体も各種提案されている（特許文献３、４等）。こうしたディスク収納体は、厚紙を使用しないので薄型化、軽量化が可能であり、材料費も節減でき、シートを３枚重ねれば表裏両面にディスク収納部を形成可能であるなど複数枚収納可能なディスク収納体の製作も容易で、その場合に厚みが極端に増して冊子体への綴じ込みが困難になることもないことなどの利点がある。
【０００４】
しかし、ディスク収納部を完全に密封した構造として、破袋によりディスクを取り出した後は捨ててしまうワンウェイ型の用途の場合は良いが、異なるディスクの収納体として繰り返し使用する用途や、取り出したディスクを再度収納して保存する用途の場合には、厚紙と比較して腰のないシートのみから構成されることから、ディスクの出し入れ用の開口部からディスクを収納しただけの状態では、一般にディスクが容易に脱落し易い傾向があるという難点がある。従って、その様な繰り返し使用や保存の用途の場合には、開口部に別のシートを宛がって蓋をする構造としたり、開口部の端部から延長したシートを他のシートの裏側に折り返す構造としたり、開口部に粘着シールを貼って封印する構造とする等の対策が採られる場合が多い。しかし、その様な構造のものは、結果的に材料の使用量が増し、構造が複雑化して製造に手間が掛かる等して、製造原価が嵩んだり、折り曲げ部分が傷んだり千切れたり、粘着部に異物が付着して粘着力が衰える等して、ディスク収納体としての性能が劣化し易いこと等の問題点があった。
【特許文献１】特開平９−１２０７８号公報
【特許文献２】特開平１０−２５８８９６号公報
【特許文献３】特開平１０−１２００６７号公報
【特許文献４】特開平１０−２１１７８６号公報
【発明の開示】
【発明が解決しようとする課題】
【０００５】
本発明は、材料の使用量が少なく、単純な構造で複数のディスクを収納可能で、簡便に製造可能であり、ディスクの収納も取り出しも容易で、取り出したディスクを再度収納することも可能であるのみならず、取り出しと収納を繰り返しても劣化が少なく、収納したディスクが容易に脱落することもないディスク収納体と、それを綴じ込んでなる冊子体とを提供することを課題とする。
【課題を解決するための手段】
【０００６】
本発明のディスク収納体は、芯材シートと、前記芯材シートの表側に配置された表側シートと、前記芯材シートの裏側に配置された裏側シートと、を備え、前記芯材シートと、前記表側シートとの間には、円盤状のディスクを収納可能な表側ディスク収納部が少なくとも一つ形成されており、前記芯材シートと、前記裏側シートとの間には、少なくとも一つの前記表側ディスク収納部の位置に対応する位置に、円盤状のディスクを収納可能な裏側ディスク収納部が形成されており、前記芯材シートと、前記表側シートとは、前記表側ディスク収納部の周囲において接着されており、前記芯材シートと、前記裏側シートとは、前記裏側ディスク収納部の周囲において接着されており、前記表側シートには、前記表側ディスク収納部の下端部から前記ディスクの半径を超え前記ディスクの直径に達しない距離の位置に、前記ディスクを出し入れ可能な表側開口部が形成されており、前記表側シートの前記表側開口部より上方の部分は、少なくとも前記表側ディスク収納部の幅方向中央部近傍において、前記表側ディスク収納部の下端部から前記ディスクの直径に達しない距離の位置にまで延設されており、前記裏側シートには、前記裏側ディスク収納部の下端部から前記ディスクの半径を超え前記ディスクの直径に達しない距離の位置に、前記ディスクを出し入れ可能な裏側開口部が形成されており、前記裏側シートの前記裏側開口部より上方の部分は、少なくとも前記裏側ディスク収納部の幅方向中央部近傍において、前記裏側ディスク収納部の下端部から前記ディスクの直径に達しない距離の位置にまで延設されていることを特徴とするものである。
【０００７】
また特に、前記表側ディスク収納部の下端部から前記表側開口部までの距離と、前記裏側ディスク収納部の下端部から前記裏側開口部までの距離とが互いに異なることを特徴とするものである。
【０００８】
また特に、前記表側ディスク収納部及び前記裏側ディスク収納部がそれぞれ複数形成されていることを特徴とするものである。
【０００９】
また本発明の冊子体は、請求項１〜３のいずれかに記載のディスク収納体を綴じ込んでなることを特徴とするものである。
【発明の効果】
【００１０】
本発明のディスク収納体は基本的に、芯材シート、表側シート及び裏側シートの３枚のシートによって構成され、しかも、各シート間をディスク収納部の周囲で接着し、表裏のシートの所定位置に開口部を開設しただけの単純な構造からなり、開口部を塞ぐための蓋部や粘着シールなどの別部材を必要としないので、材料の使用量が少なく簡便且つ安価に製造可能であり、小型ながら複数のディスクを収納可能で、薄型且つ軽量のため冊子体への綴じ込みにも適し、ディスクを何回でも繰り返し収納・取り出し可能で、しかも、ディスクは開口部よりも上側の部分でも表側シート又は裏側シートによって被覆されて係止されるので、収納したディスクは容易に脱落することもなく、上記した別部材の損耗や劣化の問題もないので、長期にわたる使用や保存が可能である。
【００１１】
特に、表側ディスク収納部の下端部から表側開口部までの距離と、裏側ディスク収納部の下端部から裏側開口部までの距離とを互いに相違させた構造とすると、一方（表側又は裏側）のディスク収納部にディスクを収納した後に他方のディスク収納部にディスクを収納する際に、当該一方のディスク収納部に収納されたディスクの存在によってディスク収納体が折れ曲がりにくくなっているにも拘らず、当該他方のディスク収納部の開口部から下方に向けてディスクを収納し、開口部の上側の当該他方側シートをディスクに被せようとする時に、芯材シートは当該一方のディスク収納部の開口部の位置で比較的に折れ曲がり易くなっている結果、芯材シートが折れ曲がろうとする位置の高さと、ディスクに被せようとする開口部の上側の当該他方側シートの下端部の位置の高さとが異なることによって、当該他方のディスク収納部の開口部より上側の空間がより広く開き易くなり、開口部もより広く開き易くなるので、表側と裏側の開口部の位置の高さが一致している場合と比較して、当該他方のディスクに当該他方側シートの開口部より上側の部分を被せる作業が容易になる。すなわち、ディスク収納体へのディスクの収納の作業性が向上する。
【００１２】
また、ディスク収納部を芯材シートの両面側に形成するので小型ながら複数枚のディスクを収納可能となるのみならず、各面側にディスク収納部を複数形成することにより更に多数のディスクを収納可能となる。このディスク収納体を冊子体に綴じ込むことにより、冊子体の重量や厚みをあまり増加させることもなく、冊子体を全体として極端に撓みにくくさせたりすることもなく、複数枚のディスクを添付した冊子体を安価且つ簡便に製造することができる。
【発明を実施するための最良の形態】
【００１３】
本発明のディスク収納体は、図１及び図２に示す例の様に、芯材シート１、表側シート２及び裏側シート３の３枚のシートによって基本的に構成される。芯材シート１と表側シート２との間及び芯材シート１と裏側シート３との間には、互いに対応する位置に、ＣＤやＤＶＤ等の円盤状のディスクを収納可能な表側ディスク収納部４及び裏側ディスク収納部５がそれぞれ形成されており、これら表側ディスク収納部４及び裏側ディスク収納部５の周囲において、芯材シート１と表側シート２及び芯材シート１と裏側シート３が接着された接着部６が形成されて、収納されたディスクがこれら周囲においてシート間から容易に脱落することがない様にされている。なお、図示した例では、各ディスク収納部の周囲を完全に囲繞する様に接着部６が形成されているが、ディスク収納部の周囲におけるシート間からのディスクの脱落が防止できる形態であれば、接着部６はディスク収納部を完全に囲繞している必要は必ずしもなく、ディスク収納部の周囲の一部に非接着部が形成されていたり、接着部６が破線状など離散的に形成されていたりしてもよい。
【００１４】
この様にして形成された表側及び裏側ディスク収納部４、５へのディスクの出し入れを可能にするために、表側及び裏側ディスク収納部４、５上の表側及び裏側シート２、３には、適宜の位置に表側開口部７及び裏側開口部８がそれぞれ形成される。各開口部７、８は、各ディスク収納部４、５の下端部から収納しようとするディスクの半径を超え直径に達しない距離の位置（高さ）に形成する必要がある。図示した例では、これら表側及び裏側開口部７、８は、単にシートに直線状の切り込みを設けることによって形成されており、各開口部７、８を閉じた状態では開口部７、８の上下の各シート２、３の端部が突き合わされた状態となる様に形成されている。勿論本発明はこの形態に限定されるものではなく、各開口部７、８は、少なくとも収納しようとするディスクの幅と略同等かそれ以上の幅に開口可能な幅を備えていれば、直線状以外の任意の形状、例えば円弧状やＶ字状、Ｕ字状等の形状に形成されていてもよい。また、表側開口部７の形状と、裏側開口部８の形状とは、互いに異なっていてもよい。
【００１５】
また、各開口部７、８を閉じた状態で上下の各シート２、３の端部が突き合わされた状態となる必要も必ずしもなく、平面視で一定幅又は不定幅で各シート２、３が存在しない部分である完全開口部が形成されていてもよい。この場合は、収納したディスクが容易に脱落することがない様にするため、各開口部７、８よりも上方でも収納したディスクの上に少なくとも一部に各シート２、３が被さる様に、少なくとも各ディスク収納部４、５の幅方向中央部近傍において、各シート２、３の各開口部７、８より上方の部分が、各ディスク収納部４、５の下端部から当該ディスクの直径に達しない距離の位置（高さ）にまで延設されている必要がある（この条件は、完全開口部を形成しない場合には、前述した開口部７、８の開設位置の条件により自動的に満たされる）。但し、この様に完全開口部が形成されていると、収納したディスクが脱落し易くなったり、保存中や取扱中にディスクに傷が付き易くなったり、塵埃等の異物が付着し易くなったりするので、完全開口部は形成しないことが望ましい。
【００１６】
各ディスク収納部４、５の寸法は、収納しようとするディスクの寸法と略同じか若干大き目の程度とするのがよく、収納しようとするディスク、例えばＣＤやＤＶＤ等、規格に応じて適宜設計する。その形状は、ディスクの形状に略相当する略円形の部分と、天地方向に略中央部と各開口部の位置との間のディスクの直径に略相当する幅の部分とを少なくとも含む必要があるが、それ以外の部分の形状には特に制約はなく、任意の形状とすることができる。図示した例では各ディスク収納部４、５は略正方形状をなしているが、ディスクの収納・取り出しをより容易にするためにやや縦長の長方形状としても良いし、上方や下方の全部又は一部を円弧状やＶ字状、Ｕ字状等にして、全体として円形又は楕円形、菱形、野球用ホームベース型等の五角形、六角形、八角形等の多角形状としても良い。また、表側ディスク収納部４の形状と、その対応位置の裏側ディスク収納部５の形状とは、互いに異なっていてもよいが、この場合、各ディスク収納部４、５に収納されるディスクの位置を略対応位置とすることが、ディスク収納体の全体的な外形寸法の小型化のために望ましい。なお、表側ディスク収納部４と裏側ディスク収納部５とには、互いに異なる規格のディスク、すなわち互いに異なる直径のディスクを収納するように設計することも可能であるが、本発明は、少なくとも表裏の対応位置の表側ディスク収納部４と裏側ディスク収納部５とには、同一の直径のディスクを収納するように設計した場合に、特に有効である。
【００１７】
本発明において、芯材シート１、表側シート２及び裏側シート３の材質には特に制限はなく、例えば紙、合成紙、織布、不織布、プラスチックフィルム等を任意に使用することができる。表側シート２及び裏側シート３は、表側及び裏側ディスク収納部４、５に収納したディスクの存在を容易に確認することができるように、透明なプラスチックフィルムを使用することが望ましい。一方、芯材シート１は、特にディスクがＣＤやＤＶＤ等の光学的情報記録ディスクである場合には、ディスクの情報記録面（光学的読み取り面）の傷付きを防ぐために、例えば発泡プラスチックフィルムや不織布などの、柔軟なシートを使用することが望ましい。特に望ましいのは、従来よりディスク収納体の構成材料として多用されている不織布であり、例えばレーヨン不織布、ポリエチレン不織布、ポリプロピレン不織布、ポリエステル不織布などを好適に使用することができる。
【００１８】
表側及び裏側ディスク収納部４、５の周囲における芯材シート１と表側及び裏側シート２、３の接着方法には特に制約はなく、適宜の接着剤を使用して接着してもよいし、芯材シート１と表側又は裏側シート２又は３との一方又は他方がヒートシール（熱融着）性を有する場合には、ヒートシール法により接着してもよい。表側及び裏側シート２、３として使用できるヒートシール性を有するプラスチックフィルムとしては、例えばポリエチレンフィルム、ＥＶＡフィルム、アイオノマーフィルム等を挙げることができる。但し、ヒートシール性を有するプラスチックフィルムは、一般に軟質で変形し易く、ディスクの出し入れを繰り返すと開口部が伸びてディスクが脱落し易くなるおそれがあるので、ヒートシール法により各シートを接着する場合には、表側及び裏側シート２、３には、ヒートシール性を有するプラスチックフィルムと、ヒートシール性を有さず強度の高い耐熱性プラスチックフィルムとのラミネートフィルムを使用することが望ましい。係る耐熱性プラスチックフィルムとしては、例えばポリエステルフィルムやナイロンフィルム等を挙げることができる。また、係るラミネートフィルムに代えて、耐熱性プラスチックフィルムの片面に例えばＥＶＡ樹脂や塩化酢酸ビニル樹脂等のヒートシール性樹脂層を塗布等により形成したフィルムを使用することもできる。この様に、シートの材料として耐熱性プラスチックフィルムを少なくとも使用すると、ディスク収納体が全体として腰が強くなり、自立性が高まる利点もある。
【００１９】
図示した例では、表側ディスク収納部４と裏側ディスク収納部５とで、その下端部から各開口部７、８までの距離、すなわち各開口部７、８の高さが異なっている。これは、本発明のディスク収納体へのディスクの収納の作業性を向上させるためである。つまり、このディスク収納体にディスクを収納する場合には、通常は表側ディスク収納部４と裏側ディスク収納部５のいずれか一方に先にディスクを収納し、しかる後に他方に別のディスクを収納することになる。この場合、当該一方のディスク収納部（４又は５）にディスクを収納した状態では、ディスク収納体は当該一方のディスク収納部のディスクの存在によって折り曲げられにくくなっているので、当該他方のディスク収納部（５又は４）の開口部（８又は７）から下方に向けてディスクの下部を挿入し、しかる後にディスクの開口部より上方の部分に当該他方側のシート（３又は２）の開口部より上方の部分を被せようとする際に、当該一方のディスク収納部にディスクが収納されていない場合と比較して、当該他方側の開口部が開きにくく、当該他方側のシートの開口部より上方の部分の下端部が持ち上がりにくいため、これをディスクの上に被せにくくなっている。
【００２０】
ここで、当該他方側のシートの開口部より上方の部分の下端部を持ち上げようとしたときには、芯材シート１は開口部の近傍で開口部より上方の部分が当該他方側に倒れる様に折れ曲がろうとするが、この折れ曲がりは芯材シート１の反対側である当該一方側のシートを引き延ばす様に作用するため、当該一方側のシートの抗張力によって抑制される。しかし、当該一方側の開口部（７又は８）の位置（高さ）では、当該一方側のシート（２又は３）が当該一方側の開口部によって分断されているので、この位置ではシートの抗張力が働かず、従ってこの位置で芯材シート１は折れ曲がり易い。ここで、表側と裏側の開口部７、８の各ディスク収納部４、５の下端部からの距離（高さ）が同一であると、芯材シート１が折れ曲がろうとする位置の高さと、ディスクの上に被せようとする当該他方側シートの開口部より上方の部分の下端部の高さとが同一であるので、当該他方のディスク収納部の開口部より上方の部分は、開口部とディスク収納部の上端部との間の距離を２辺とする略Ｖ字状にしか開かないことになり、ここにはあまり大きな空間が開くことはない。
【００２１】
これに対して、表側と裏側の開口部７、８の各ディスク収納部４、５の下端部からの距離（高さ）が互いに異なっていると、例えば図示した様に裏側開口部８の高さが表側開口部７の高さよりも高く設定されていると、当該他方のディスク収納部が裏側ディスク収納部５である場合には、裏側シート３の裏側開口部８より上方の部分の下端部を持ち上げようとすると、芯材シート１は裏側開口部８より下方にある表側開口部７の位置で折れ曲がろうとするため、裏側ディスク収納部８の上端部はより大きく裏側に張り出す様に折れ曲がって、裏側ディスク収納部８の上部にはより大きな空間が開くことになり、一方、当該他方のディスク収納部が表側ディスク収納部４である場合には、表側シート２の表側開口部７より上方の部分の下端部を持ち上げようとすると、芯材シート１は表側開口部８より上方にある裏側開口部８の位置で折れ曲がろうとするため、表側ディスク収納部４の表側開口部７より上方の部分には、裏側開口部８の位置と表側ディスク収納部４の上端部との２箇所で折れ曲がった断面略コ字状の空間が形成されることになり、こうしていずれの場合にも当該他方側シートの開口部より上方の部分の下端部をより大きく持ち上げて開口部をより大きく開口させることが可能になり、ディスクをより容易に収納することが可能となる。
【００２２】
特に、本発明のディスク収納体を書籍又は雑誌等の冊子体に綴じ込んで使用する場合には、予め各ディスク収納部にディスクを収納した状態で冊子体に綴じ込んで販売に供される場合が多いので、ディスクの収納作業の容易性は冊子体の製造上非常に重要な問題であり、本発明によって作業効率よく安価に冊子体を製造することが可能となる。なお、本発明者らの実験によれば、この効果は開口部の高さがより低く設定されている側のディスク収納部（図示した例では表側ディスク収納部４）に先にディスクを収納し、しかる後に他方のディスク収納部（図示した例では裏側ディスク収納部５）に他のディスクを収納する工程を採用した場合により顕著であった。
【００２３】
本発明においては、表側及び裏側ディスク収納部４、５は各１つずつのみ形成されていてもよいが、その一方又は両方が複数形成されていてもよい。図示した例では、表側及び裏側ディスク収納部４、５がそれぞれ縦方向に２つずつ形成されており、都合４枚のディスクを収納することができる。係るディスク収納部の配列方法は縦方向に限定されるものではなく、横方向に配列されていてもよいし、縦横の両方向に配列されていてもよい。また、この様に複数のディスク収納部を配列する場合には、表側又は裏側ディスク収納部４又は５のみが形成されていてその対応する反対側の面に裏側又は表側ディスク収納部５又は４が形成されていない箇所が存在していてもよい。また、表側開口部７と裏側開口部８の高さを異ならせる場合には、そのいずれを高く設定するかは全てのディスク収納部４、５について統一されていてもよいし、表側開口部７の高さが裏側開口部８の高さよりも高い箇所と低い箇所とが混在していてもよい。
【００２４】
本発明のディスク収納体は、その周囲の一辺に他の辺よりも多めに余白部を取るなどして綴込部９を形成して、書籍又は雑誌等の冊子体に綴じ込んで使用することができる。図示した例では綴込部９は表側から見た場合の左辺に形成されているが、これは他の辺に形成されていてもよい。冊子体が平綴又は無線綴である場合には、ディスク収納体の綴込部９を背側にしてそのまま他の折丁と一緒に通常の製本機に掛けて製本してもよいし、ディスク収納体の綴込部９を任意の折丁の任意の紙片の任意の位置に貼付して製本してもよい。冊子体が中綴である場合には、ディスク収納体の綴込部９を任意の折丁の任意の紙片の任意の位置に貼付して製本することが基本となるが、ディスク収納体の綴込部９を更に延長するか又はここに別途用意した紙片を貼付する等して折り曲げたり、或いは綴込部９の先に更に別のディスク収納部を設けた左右対称の形態として中央で折り曲げる等して、他の折丁とは独立した折丁の形として通常の中綴製本機に掛けて製本することもできる。
【図面の簡単な説明】
【００２５】
【図１】本発明のディスク収納体の一実施形態を示す模式図であり、（ａ）は正面図、（ｂ）は背面図である。
【図２】本発明のディスク収納体の一実施形態を示す模式断面図である。
【符号の説明】
【００２６】
１    芯材シート
２    表側シート
３    裏側シート
４    表側ディスク収納部
５    裏側ディスク収納部
６    接着部
７    表側開口部
８    裏側開口部
９    綴込部
【図１】
2007246147.tif 000003
【図２】
2007246147.tif 000004